(57)【要約】【課題】会話領域での会話が、会話領域の外部に漏出することを抑制すること。【解決手段】会話用設備は、遮音機構を備える。遮音機構は、上壁部１０２を備える。上壁部１０２は、天井２４と床面２２との間において、床面２２に立設されたパーティション１２に挟まれた空間であるパーティションブース３０内の、カウンターエリア３０Ａの上方を覆うように設けられ、カウンターエリア３０Ａから発せられ、カウンターエリア３０Ａの上方からカウンターエリア３０Ａの外部に向かう音を遮る。【選択図】図１
2012180639.tif 000002
【特許請求の範囲】
【請求項１】
天井と床面との間において、パーティションに挟まれた空間内に設けられた会話が行われる領域の上方を覆うように設けられ、前記領域から発せられ、前記領域の上方から前記領域の外部に向かう前記会話の音の伝搬経路を遮る位置に設けられる上壁部
を有することを特徴とする遮音機構。
【請求項２】
前記領域の側方を覆うように設けられ、前記領域から発せられ、前記領域の側方から前記領域の外部に向かう前記会話の音の伝搬経路を遮る位置に設けられた側壁部
をさらに有することを特徴とする請求項１に記載の遮音機構。
【請求項３】
前記上壁部の高さ位置を調整する調整手段
をさらに有することを特徴とする請求項１または２に記載の遮音機構。
【発明の詳細な説明】
【技術分野】
【０００１】
本発明は、遮音機構に関する。
【背景技術】
【０００２】
特許文献１には、パーティションブースでの会話を外部で容易に聞き取ることができないようにすることを目的として、パーティションの上端に反射用湾曲部を設けることが記載されている。
【先行技術文献】
【特許文献】
【０００３】
【特許文献１】特開２００７−３０４４４６号公報
【発明の概要】
【発明が解決しようとする課題】
【０００４】
しかしながら、特許文献１に記載の技術では、パーティションブースの中央の上方、すなわち、会話が行われる領域（以下、「会話領域」と示す。）の上方には、天井方向へと抜ける隙間が設けられている。このため、特許文献１に記載の技術では、会話領域での会話が、上記隙間からパーティションブースの外部へ漏出してしまう。このように漏出した会話は、天井で反射され、外部に聞き取られやすい。そこで、本発明は、会話領域での会話が、会話領域の外部に漏出することを抑制できる遮音機構を提供することを目的とする。
【課題を解決するための手段】
【０００５】
上記課題を解決するため、本発明は、天井と床面との間において、パーティションに挟まれた空間内に設けられた会話が行われる領域の上方を覆うように設けられ、前記領域から発せられ、前記領域の上方から前記領域の外部に向かう前記会話の音の伝搬経路を遮る位置に設けられる上壁部を有することを特徴とする遮音機構を提供する。
【発明の効果】
【０００６】
本発明によれば、会話領域での会話が、会話領域の上方から、会話領域の外部へ漏出することを抑制できる。
【図面の簡単な説明】
【０００７】
【図１】第１の実施形態に係る会話用設備の外観を示す。
【図２】第１の実施形態に係る会話用設備の正面を示す。
【図３】第１の実施形態に係る会話用設備の右側面を示す。
【図４】第２の実施形態に係る会話用設備の正面を示す。
【図５】第３の実施形態に係る会話用設備の正面を示す。
【図６】第４の実施形態に係る会話用設備の正面を示す。
【図７】第５の実施形態に係る会話用設備の正面を示す。
【図８】第６の実施形態に係る会話用設備の正面を示す。
【図９】第７の実施形態に係る会話用設備の正面を示す。
【図１０】第８の実施形態に係る会話用設備の正面を示す。
【図１１】第９の実施形態に係る会話用設備の正面を示す。
【図１２】パーティションブース３０の減音性能のシミュレーション結果を示す。
【図１３】パーティションブース３０の減音性能のシミュレーション結果を示す。
【図１４】パーティションブース３０の減音性能のシミュレーション結果を示す。
【図１５】パーティションブース３０の減音性能のシミュレーション結果を示す。
【図１６】変形例を説明する図を示す。
【図１７】変形例を説明する図を示す。
【図１８】変形例を説明する図を示す。
【図１９】変形例を説明する図を示す。
【図２０】変形例を説明する図を示す。
【図２１】変形例を説明する図を示す。
【図２２】変形例を説明する図を示す。
【図２３】変形例を説明する図を示す。
【図２４】変形例を説明する図を示す。
【図２５】変形例を説明する図を示す。
【図２６】変形例を説明する図を示す。
【図２７】変形例を説明する図を示す。
【図２８】変形例を説明する図を示す。
【図２９】変形例を説明する図を示す。
【発明を実施するための形態】
【０００８】
図１は、第１の実施形態に係る会話用設備の外観を示す。図２は、第１の実施形態に係る会話用設備の正面を示す。図３は、第１の実施形態に係る会話用設備の右側面を示す。なお、会話用設備の構成を判りやすくするため、図２以降の図面では、パーティション１２Ｃの図示を省略する。会話用設備は、銀行の接客フロアなどの室内に設置される。会話用設備は、平板状のパーティション１２を複数備える。図１に示す例では、会話用設備は、パーティション１２Ａ、パーティション１２Ｂ、およびパーティション１２Ｃを備える。以下の説明において、これらのパーティション１２を区別しない場合、「パーティション１２」と示す。室内の床面２２には、パーティション１２Ａとパーティション１２Ｂとが、対向して設けられている。パーティション１２Ａおよびパーティション１２Ｂは、床面２２に立設されている（立てた状態で設置されている）。パーティション１２Ａとパーティション１２Ｂの高さは、床面２２に立設されたときに天井２４に接しない高さである。これにより、室内には、パーティション１２Ａとパーティション１２Ｂとに挟まれた空間であるパーティションブース３０が形成されている。さらに、室内の床面２２には、パーティションブース３０の正面を覆うように、パーティション１２Ａ及びパーティション１２Ｂと同じ略高さのパーティション１２Ｃが床面２２に立設されている。室内には、会話用設備が複数並設されている。すなわち、室内には、パーティションブース３０が複数並設されている。室内において、これら複数のパーティションブース３０の正面側には、ロビーなどの共有エリアが設けられている。
【０００９】
会話用設備は、カウンターテーブル３２、椅子３４Ａ、および椅子３４Ｂをさらに備える。パーティションブース３０の略中央には、会話が行われる領域の一例であるカウンターエリア３０Ａが設けられている。会話が行われる領域とは、２人以上の会話者が対面して会話を行う領域、または１人または複数の会話者が、マイク、スピーカ、表示モニターなどを備える会話装置を用いて遠隔地の会話者と会話を行う領域であって、パーティション１２Ａ、パーティション１２Ｂ及びパーティション１２Ｃによって挟まれた空間において、床面２２から上壁部１０２（詳しくは後述）までの、会話者が存在する領域のことである。カウンターエリア３０Ａにおいては、カウンターテーブル３２を挟んで、正面側の椅子３４Ａと、裏面側の椅子３４Ｂとが、対向して設けられている。以下の説明において、これらの椅子３４を区別しない場合、「椅子３４」と示す。
【００１０】
パーティション１２には、合板など、音を遮る部材が用いられる。パーティション１２は、カウンターエリア３０Ａに面する側の表面（以下、カウンターエリア面という）に入射された音を遮る構成を有してもよい。たとえば、パーティション１２は、カウンターエリア面側が遮音性のある材料で構成されたものであってもよい。また、他の例として、パーティション１２は、カウンターエリア面からパーティション１２の内部に向かって、音響透過性の材料、遮音性のある部材という順番で構成されたものであってもよい。パーティション１２は、パーティションブース３０の側方を覆い、且つ、そのパーティションブース３０内から発せられてパーティションブース３０の側方から外部空間に向かう会話の音の伝搬経路を遮る位置に設けられているから、パーティションブース３０の側方からパーティションブース３０の外部に向かう音を遮ることができる。これにより、パーティション１２は、カウンターエリア３０Ａでの会話が、パーティションブース３０の側方から、パーティションブース３０の外部へ漏出することを抑制することができる。
【００１１】
パーティション１２は、カウンターエリア面に入射された音を反射する構成を有してもよい。たとえば、パーティション１２は、遮音性のある材料を含んで構成され、少なくともカウンターエリア面側に反射部材が用いられたものであってもよい。また、他の例として、パーティション１２は、カウンターエリア面からパーティション１２の内部に向かって、音響透過性の材料、反射性部材、遮音部材という順番で構成されたものであってもよい。これにより、パーティション１２は、パーティションブース３０の側方からパーティションブース３０の外部に向かう音を、パーティションブース３０内へ向けて反射することができる。これにより、パーティション１２は、カウンターエリア３０Ａでの会話が、パーティションブース３０の側方から、パーティションブース３０の外部へ漏出することを抑制するとともに、カウンターエリア３０Ａでの会話を、会話者同士に聞き取らせ易くすることができる。
【００１２】
パーティション１２は、カウンターエリア面に入射された音を吸収する構成を有してもよい。たとえば、パーティション１２は、カウンターエリア面に吸音ボードなどの吸音部材が用いられたものであってもよい。他の例として、パーティション１２は、内部に不織布、グラスウールなどの吸音部材が充填されたものであってもよい。これらの場合、パーティション１２は、パーティションブース３０の側方からパーティションブース３０の外部に向かう音を吸収することができる。これにより、パーティション１２は、カウンターエリア３０Ａでの会話が、パーティションブース３０の側方から、パーティションブース３０の外部へ漏出することをより抑制することができる。
【００１３】
会話用設備は、遮音機構をさらに備える。遮音機構は、平板状の上壁部１０２を有する。上壁部１０２の一端は、パーティション１２Ｂの上端に支持されている。上壁部１０２は、天井２４と床面２２との間において、カウンターエリア３０Ａの上方を覆うように、床面２２に対して略平行に設けられている。上壁部１０２は、カウンターエリア３０Ａの上方の高さにおいて、少なくとも、会話者（椅子３４）の前斜め上方を覆うような位置に、会話者から見て右方から左方にわたって設けられている。たとえば、図１−図３に示す例では、上壁部１０２は、カウンターエリア３０Ａの上方の高さにおいて、両会話者（椅子３４Ａおよび椅子３４Ｂ）の前斜め上方、すなわち、両会話者の中間の位置に設けられているカウンターテーブル３２の上方を覆うように設けられている。
【００１４】
上壁部１０２には、合板など、音を遮る部材が用いられる。上壁部１０２には、当該上壁部１０２の、少なくとも下面（カウンターエリア３０Ａ側の表面）に入射された音を遮る構成を有する。また、この上壁部１０２は、会話者の口及び、耳乃至目の高さよりも高い位置に設けられている。会話が行われる領域において、図１に示すように会話者が椅子に３４Ａ，３４Ｂに座って会話を行うようになっている場合には、着座姿勢の会話者の口及び耳、乃至目の高さよりも高い位置に上壁部１０２が設けられている。また、例えば会話者が立ったまま会話を行うようになっている場合には、立ち姿勢の会話者の口及び耳乃至目）の高さよりも高い位置に上壁部１０２が設けられている。このように、上壁部１０２は、会話が行われる領域から外部の領域に向かう会話の音の伝搬経路を遮る位置に設けられている。この場合、上壁部１０２は、会話者から発せられ、会話者の前斜め上方からカウンターエリア３０Ａの外部に向かう音を遮ることができる。これにより、上壁部１０２は、カウンターエリア３０Ａでの会話が、カウンターエリア３０Ａの上方から、カウンターエリア３０Ａの外部へ漏出することを抑制することができる。
【００１５】
上壁部１０２は、下面に入射された音を反射する構成を有してもよい。たとえば、上壁部１０２は、下面に反射部材が用いられたものであってもよい。他の例として、上壁部１０２は、内部に反射部材が充填されたものであってもよい。これらの場合、上壁部１０２は、会話者から発せられ、会話者の前斜め上方へ向かう音を、対面する会話者へ向けて反射することができる。これにより、上壁部１０２は、カウンターエリア３０Ａでの会話が、カウンターエリア３０Ａの上方から、カウンターエリア３０Ａの外部へ漏出することを抑制するとともに、カウンターエリア３０Ａでの会話を、会話者同士に聞き取らせ易くすることができる。
【００１６】
上壁部１０２は、下面に入射された音を吸収する構成を有してもよい。たとえば、上壁部１０２は、下面に吸音ボードなどの吸音部材が用いられたものであってもよい。他の例として、上壁部１０２は、内部に不織布、グラスウールなどの吸音部材が充填されたものであってもよい。これらの場合、上壁部１０２は、会話者から発せられ、会話者の前斜め上方へ向かう音を吸収することができる。これにより、上壁部１０２は、カウンターエリア３０Ａでの会話が、カウンターエリア３０Ａの上方から、カウンターエリア３０Ａの外部へ漏出することをより抑制することができる。
【００１７】
上壁部１０２は、カウンターエリア３０Ａの上方において、少なくとも、会話者（椅子３４）の前斜め上方を覆うように設けられていればよい。したがって、上壁部１０２は、カウンターエリア３０Ａの全域を覆うものであってもよく、カウンターエリア３０Ａの一部の領域を覆うものであってもよい。また、上壁部１０２は、パーティションブース３０の全域を覆うものであってもよく、パーティションブース３０の一部の領域を覆うものであってもよい。カウンターエリア３０Ａの上方からカウンターエリア３０Ａの外部に向かう音の伝搬経路は、パーティション１２、カウンターエリア３０Ａ、椅子３４、およびカウンターテーブル３２の、設置位置、サイズなど、会話用設備のレイアウトによって変化する。また、上記伝搬経路は、天井２４の高さなど、会話用設備の設置場所によっても変化する。このため、遮音機構による高い遮音効果を得ることができるように、上壁部１０２の設置位置、形状、および大きさを、会話用設備のレイアウトおよび設置場所に応じて決定してもよい。反対に、遮音機構による高い遮音効果を得ることができるように、会話用設備のレイアウトおよび設置場所を、上壁部１０２の設置位置、形状、および大きさに応じて決定してもよい。
【００１８】
図４は、第２の実施形態に係る会話用設備の正面を示す。図４に示す例では、遮音機構が有する上壁部１０２は、パーティションブース３０の横方向（パーティション１２同士が対面する方向）の全域に亘って、パーティションブース３０の上方を覆っている。これにより、遮音機構は、カウンターエリア３０Ａでの会話が、カウンターエリア３０Ａの斜め上方から、カウンターエリア３０Ａの外部（特にパーティション１２A側の外部）へ漏出することを抑制することができる。また、図４に示す例では、上壁部１０２の両端がパーティション１２に支持されている。これにより、遮音機構は、上壁部１０２の一端がパーティション１２に支持されるよりも、パーティション１２上に安定的に設置することができる。なお、上壁部１０２は、パーティションブース３０の奥行き方向（会話者同士が対面する方向）の全域に亘って、パーティションブース３０の上方を覆うものであってもよい。
【００１９】
図５は、第３の実施形態に係る会話用設備の正面を示す。図５に示す遮音機構は、脚部１０４Ａおよび脚部１０４Ｂを有する。以下の説明において、これらの脚部１０４を区別しない場合、「脚部１０４」と示す。脚部１０４は、会話者から見て上壁部１０２の左右の両端から下方に向かって、パーティション１２の上端まで延伸している。このように、図５に示す遮音機構は、脚部１０４を有するため、設置面であるパーティション１２の上端よりも高い位置に、上壁部１０２を設けることができる。パーティション１２の高さが例えば座って会話を行うときに用いられるのに適している場合であっても、このパーティション１２の上に、脚部１０４Ａおよび脚部１０４Ｂを有する遮音機構を設けることで、パーティションブースをより高くし、立ったまま会話を行うときも用いることができるようになる。このような用途の変更は、パーティション１２の上に遮音機構を設置するだけであるから、比較的容易な作業となるし、作業時間もかからない。。
【００２０】
脚部１０４は、平板状の部材が用いられている。これにより、脚部１０４は、遮音機構の側壁部として機能する。脚部１０４は、カウンターエリア３０Ａの側方において、少なくとも会話者（椅子３４）の横斜め前方を覆うように設けられている。たとえば、図５に示す例では、脚部１０４は、カウンターエリア３０Ａの側方であるパーティションブース３０の側方において、両会話者（椅子３４Ａおよび椅子３４Ｂ）の横斜め前方であって、両会話者の中間に設けられているカウンターテーブル３２の側方を覆うように設けられている。脚部１０４には、合板など、音を遮る部材が用いられる。脚部１０４には、当該脚部１０４の、少なくとも、カウンターエリア３０Ａに面する側の表面（以下、カウンターエリア面という）に入射された音を遮る構成を有してもよい。この場合、脚部１０４は、会話者から発せられ、会話者の横斜め前方からカウンターエリア３０Ａの外部に向かう音を遮ることができる。これにより、脚部１０４は、カウンターエリア３０Ａでの会話が、カウンターエリア３０Ａの側方から、カウンターエリア３０Ａの外部へ漏出することを抑制することができる。
【００２１】
脚部１０４は、カウンターエリア面に入射された音を反射する構成を有してもよい。たとえば、脚部１０４は、カウンターエリア面に反射部材が用いられたものであってもよい。他の例として、脚部１０４は、内部に反射部材が充填されたものであってもよい。これらの場合、脚部１０４は、会話者から発せられ、会話者の横斜め前方へ向かう音を、対面する会話者へ向けて反射することができる。これにより、脚部１０４は、カウンターエリア３０Ａでの会話が、カウンターエリア３０Ａの側方から、カウンターエリア３０Ａの外部へ漏出することを抑制するとともに、カウンターエリア３０Ａでの会話を、会話者同士に聞き取らせ易くすることができる。
【００２２】
脚部１０４は、カウンターエリア面に入射された音を吸収する構成を有してもよい。たとえば、脚部１０４は、カウンターエリア面に吸音ボードなどの吸音部材が用いられたものであってもよい。他の例として、脚部１０４は、内部に不織布、グラスウールなどの吸音部材が充填されたものであってもよい。これらの場合、脚部１０４は、会話者から発せられ、会話者の会話者の横斜め前方へ向かう音を吸収することができる。これにより、脚部１０４は、カウンターエリア３０Ａでの会話が、カウンターエリア３０Ａの側方から、カウンターエリア３０Ａの外部へ漏出することをより抑制することができる。
【００２３】
脚部１０４は、カウンターエリア３０Ａの側方において、少なくとも、会話者の横斜め前方を覆うように設けられていればよい。したがって、脚部１０４は、カウンターエリア３０Ａの側方の全域を覆うものであってもよく、カウンターエリア３０Ａの側方の一部の領域を覆うものであってもよい。また、脚部１０４は、パーティションブース３０の側方の全域を覆うものであってもよく、パーティションブース３０の側方の一部の領域を覆うものであってもよい。カウンターエリア３０Ａの側方からカウンターエリア３０Ａの外部に向かう音の伝搬経路は、パーティション１２、カウンターエリア３０Ａ、椅子３４、およびカウンターテーブル３２の、設置位置、サイズなど、会話用設備のレイアウトによって変化する。また、上記伝搬経路は、天井２４の高さなど、会話用設備の設置場所によって変化する。このため、脚部１０４の設置位置、形状、および大きさを、会話用設備のレイアウトおよび設置場所に応じて決定してもよい。反対に、会話用設備のレイアウトおよび設置場所を、脚部１０４の設置位置、形状、および大きさに応じて決定してもよい。
【００２４】
図６は、第４の実施形態に係る会話用設備の正面を示す。図６に示す遮音機構は、上壁部１０２の両端から床面２２まで脚部１０４が延伸しており、遮音機構が床面２２に直に設置されている点で、図５に示した遮音機構と異なる。このように、遮音機構は、床面２２に設置された状態で、上壁部１０２の高さが十分に確保されるものであってもよい。図６に示す遮音機構によれば、図５に示した遮音機構と同様の効果を奏することができる。また、脚部１０４をパーティション１２として機能させることができるため、カウンターエリア３０Ａの周囲にパーティション１２が設けられていない場合であっても、カウンターエリア３０Ａの周囲にパーティションブース３０と同様の空間を形成することができる。
【００２５】
図７は、第５の実施形態に係る会話用設備の正面を示す。図７に示す遮音機構は、上壁部１０２の両端からカウンターテーブル３２の上面まで脚部１０４が延伸しており、脚部１０４がパーティション１２A,１２Bに連結されずに、遮音機構がカウンターテーブル３２に直に設置されている点で、図５に示した遮音機構と異なる。このように、遮音機構は、カウンターテーブル３２に設置された状態で、上壁部１０２の高さが十分に確保されるものであってもよい。図７に示す遮音機構によれば、図５に示した遮音機構と同様の効果を奏することができる。また、脚部１０４をパーティション１２として機能させることができるため、カウンターエリア３０Ａの周囲にパーティション１２が設けられていない場合であっても、カウンターテーブル３２上にパーティションブース３０と同様の空間を形成することができる。
【００２６】
図８は、第６の実施形態に係る会話用設備の正面を示す。図８に示す遮音機構は、上壁部１０２の高さ位置を調整する第１の調整手段を有する点で、図７に示した遮音機構と異なる。図８に示す例では、第１の調整手段として、平板状の固定部材８０２と平板状の可動部材８０４とを２枚重ね合わせたものを、脚部１０４に用いている。可動部材８０４は、固定部材８０２に係合している。可動部材８０４は、固定部材８０２に対して、上下方向にスライドすることができる。可動部材８０４の上端は、上壁部１０２の端部に固定されている。このため、固定部材８０２を設置面に設置し、可動部材８０４を固定部材に対して、上下方向にスライドさせることにより、上壁部１０２の高さ位置を調整することができる。第１の調整手段は、ロック機構を有する。ロック機構は、固定部材８０２に対する可動部材８０４のスライドを規制することにより、上壁部１０２の高さ位置を固定する。図８に示す遮音機構によれば、上壁部１０２の高さ位置に起因する遮音効果を容易に調整することができる。なお、第１の調整手段は、上壁部１０２の高さ位置を調整することができるものであればよく、上記した構成に限らない。たとえば、第１の調整手段として、上壁部１０２の高さ位置を調整することが可能な棒状の脚部を用いてもよい。第１の調整手段は、上壁部１０２の高さ位置を手動で調整するものであってもよい。第１の調整手段は、上壁部１０２の高さ位置を自動で調整するものであってもよい。
【００２７】
図９は、第７の実施形態に係る会話用設備の正面を示す。図９に示す遮音機構は、吊下部材によって天井２４から吊下げられて設置されている点で、これまでに説明した遮音機構と異なる。図９に示す遮音機構は、側壁部を備えていない。このように、側壁部を備えていない遮音機構が天井２４から吊下げられて設置されてもよく、図５−図７に示したような遮音機構のように側壁部を備える遮音機構が天井２４から吊下げられて設置されてもよい。吊下部材は、柔軟性を有するものであってもよく、柔軟性を有しないものであってもよい。吊下部材は、上壁部１０２の位置を調整する第２の調整手段を有してもよい。
【００２８】
図１０は、第８の実施形態に係る会話用設備の正面を示す。図１０に示す遮音機構は、上壁部１０２の左右の両端部（パーティションブース３０の横方向の両端部）が、パーティションブース３０側に折れ曲がっており、当該両端部の表面がカウンターエリア３０Ａと対向している点で、図９に示した遮音機構と異なる。図１０に示す遮音機構によれば、遮音機構は、パーティションブース３０での会話が、パーティションブース３０の左右の斜め上方から、カウンターエリア３０Ａの外部へ漏出することを抑制することができる。また、図９に示す遮音機構によれば、カウンターエリア３０Ａから左右の斜め上方へ向かう音をカウンターエリア３０Ａへ向けて反射することで、パーティションブース３０での会話を、会話者同士に聞き取らせ易くすることができる。
【００２９】
遮音機構は、上壁部１０２の前後の両端部（パーティションブース３０の奥行き方向の両端部）が、パーティションブース３０側に折れ曲がっており、当該両端部の表面がカウンターエリア３０Ａと対向するものであってもよい。この場合、遮音機構は、パーティションブース３０での会話が、パーティションブース３０の前後の斜め上方から、カウンターエリア３０Ａの外部へ漏出することを抑制することができる。また、遮音機構は、カウンターエリア３０Ａから前後の斜め上方へ向かう音をカウンターエリア３０Ａへ向けて反射することで、パーティションブース３０での会話を、会話者同士に聞き取らせ易くすることができる。遮音機構は、上壁部１０２の左右の両端部の表面がカウンターエリア３０Ａと対向するように、上壁部１０２の左右の両端部が、パーティションブース３０側に湾曲または多段に折曲していてもよい。また、遮音機構は、上壁部１０２の前後の両端部の表面がカウンターエリア３０Ａと対向するように、上壁部１０２の前後の両端部が、パーティションブース３０側に湾曲または多段に折曲していてもよい。
【００３０】
図１１は、第９の実施形態に係る会話用設備の正面を示す。図１０に示す遮音機構は、上壁部１０２の横幅を調整する第３の調整手段をさらに有する点で、図９に示した遮音機構と異なる。図１１に示す例では、第３の調整手段として、平板状の固定部材１１０２に対して、平板状の可動部材１１０４を複数枚重ね合わせたものを、上壁部１０２に用いている。可動部材１１０４は、固定部材１１０２に係合している。可動部材１１０４は、固定部材１１０２に対して、左右方向にスライドすることができる。このため、固定部材１１０２を固定して設置し、可動部材１１０４を左右方向にスライドさせることにより、上壁部１０２の横幅を調整することができる。図１１に示す遮音機構によれば、上壁部１０２の横幅に起因する遮音効果を容易に調整することができる。可動部材１１０４は、固定部材１１０２の中心に向けてスライドさせることで、固定部材１１０２の内部空間に収納できるものであってもよい。第３の調整手段は、上壁部１０２の横幅を調整することができるものであればよく、上記した構成に限らない。第３の調整手段は、上壁部１０２の横幅を手動で調整するものであってもよい。第３の調整手段は、上壁部１０２の横幅を自動で調整するものであってもよい。
【００３１】
遮音機構は、上壁部１０２の奥行き幅を調整する第４の調整手段を有してもよい。たとえば、第４の調整手段として、平板状の固定部材に対して、平板状の可動部材を１枚または複数枚重ね合わせたものを、上壁部１０２に用いてもよい。この場合、固定部材を固定して設置し、可動部材を前後方向にスライドさせることにより、上壁部１０２の奥行き幅を調整することができる。このような遮音機構によれば、上壁部１０２の横幅に起因する遮音効果を容易に調整することができる。可動部材は、固定部材の中心に向けてスライドさせることで、固定部材の内部空間に収納できるものであってもよい。第４の調整手段は、上壁部１０２の奥行き幅を調整することができるものであればよく、上記した構成に限らない。第４の調整手段は、上壁部１０２の奥行き幅を手動で調整するものであってもよい。第４の調整手段は、上壁部１０２の奥行き幅を自動で調整するものであってもよい。
【００３２】
図１２−図１５は、パーティションブース３０の減音性能のシミュレーション結果を示す。図１２に示すグラフ１２００は、椅子３４Ａ側の会話者が椅子３４Ｂ側の会話者に対して音声を発した場合に、パーティションブース３０に隣接する他のパーティションブース３０に漏出する音声の、パーティションブース３０による減音量を、周波数ごとに示したものである。図１３に示すグラフ１３００は、椅子３４Ａ側の会話者が椅子３４Ｂ側の会話者に対して音声を発した場合に、パーティションブース３０の正面側の共有エリアへ漏出する音声の、パーティションブース３０による減音量を、周波数ごとに示したものである。図１４に示すグラフ１４００は、椅子３４Ｂ側の会話者が椅子３４Ａ側の会話者に対して音声を発した場合に、パーティションブース３０に隣接する他のパーティションブース３０に漏出する音声の、パーティションブース３０による減音量を、周波数ごとに示したものである。図１５に示すグラフ１５００は、椅子３４Ｂ側の会話者が椅子３４Ａ側の会話者に対して音声を発した場合に、パーティションブース３０の正面側の共有エリアへ漏出する音声の、パーティションブース３０による減音量を、周波数ごとに示したものである。グラフ１２００、グラフ１３００、グラフ１４００、およびグラフ１５００において、丸形のプロットは、従来のパーティションブース、すなわち遮音機構が設けられていないパーティションブースにおける減音性能を示す。三角形のプロットは、本実施形態のパーティションブース３０、すなわち、遮音機構を用いたパーティションブース３０における減音性能を示す。
【００３３】
たとえば、グラフ１２００において、２５０Ｈｚの音については、本実施形態のパーティションブース３０は、従来のパーティションブースよりも、およそ１．５ｄＢ多く減音することができる。また、グラフ１２００において、５００Ｈｚの音については、本実施形態のパーティションブース３０は、従来のパーティションブースよりも、およそ３ｄＢ多く減音することができる。また、グラフ１２００において、Ｆ特性（平坦特性）については、本実施形態のパーティションブース３０は、従来のパーティションブースよりも、およそ２．５ｄＢ多く減音することができる。また、グラフ１２００において、Ａ特性（人間の聴覚特性）については、本実施形態のパーティションブース３０は、従来のパーティションブースよりも、およそ２．５ｄＢ多く減音することができる。
【００３４】
また、グラフ１３００において、２５０Ｈｚの音については、本実施形態のパーティションブース３０は、従来のパーティションブースよりも、およそ１ｄＢ多く減音することができる。また、グラフ１３００において、５００Ｈｚの音については、本実施形態のパーティションブース３０は、従来のパーティションブースよりも、およそ２．５ｄＢ多く減音することができる。また、グラフ１３００において、Ｆ特性については、本実施形態のパーティションブース３０は、従来のパーティションブースよりも、およそ２ｄＢ多く減音することができる。また、グラフ１３００において、Ａ特性については、本実施形態のパーティションブース３０は、従来のパーティションブースよりも、およそ２ｄＢ多く減音することができる。
【００３５】
たとえば、グラフ１４００において、２５０Ｈｚの音については、本実施形態のパーティションブース３０は、従来のパーティションブースよりも、およそ２ｄＢ多く減音することができる。また、グラフ１４００において、５００Ｈｚの音については、本実施形態のパーティションブース３０は、従来のパーティションブースよりも、およそ３ｄＢ多く減音することができる。また、グラフ１４００において、Ｆ特性については、本実施形態のパーティションブース３０は、従来のパーティションブースよりも、およそ２ｄＢ多く減音することができる。また、グラフ１４００において、Ａ特性については、本実施形態のパーティションブース３０は、従来のパーティションブースよりも、およそ２ｄＢ多く減音することができる。
【００３６】
また、グラフ１５００において、２５０Ｈｚの音については、本実施形態のパーティションブース３０は、従来のパーティションブースよりも、およそ８ｄＢ多く減音することができる。また、グラフ１５００において、５００Ｈｚの音については、本実施形態のパーティションブース３０は、従来のパーティションブースよりも、およそ５ｄＢ多く減音することができる。また、グラフ１５００において、Ｆ特性については、本実施形態のパーティションブース３０は、従来のパーティションブースよりも、およそ６ｄＢ多く減音することができる。また、グラフ１５００において、Ａ特性については、本実施形態のパーティションブース３０は、従来のパーティションブースよりも、およそ５ｄＢ多く減音することができる。
【００３７】
以上、本発明の第１の実施形態−第９の実施形態について説明したが、本発明は上述した第１の実施形態−第９の実施形態に限定されることなく、他の様々な形態で実施可能である。例えば、上述の第１の実施形態−第９の実施形態を以下のように変形して本発明を実施してもよい。
（変形例１）
（変形例１−１）
会話音声が天井面を介してブース外へ漏れないように音声をマスキングする構成をパーティション１２Ａ，１２Ｂ，１２Ｃに設けるようにしてもよい。以下、パーティション１２Ｂに音声をマスキングする構成を設けたパーティション１２Ｂ’の構成を例に挙げて説明する。
図１６は、各領域を説明する図であり、図１７(ａ)は、パーティション１２Ｂ’の斜視図であり、図１７(ｂ)は、図１７(ａ)のパーティション１２Ｂ’を矢印Ｘ方向の側面から見た断面図である。図１７(ａ)に示すように、パーティション１２Ｂ’は、図１６に示す外部空間６の側に位置する壁面２ａと、図１６に示すパーティションブース３０の側に位置する壁面２ｂと、側壁面２ｃとで構成された箱型のパネルである。壁面２ｂの床面２２からの高さは、壁面２ａの床面２２からの高さに対してより高くなるように構成されており、図１７(ｂ)の破線部で示すパーティション１２Ｂ’の上方の部分が開口されている。壁面２ｂの壁面２ａより高くなっている部分が、会話が行われる領域からパーティション２を介して外部空間６に向かう音の伝搬経路を遮蔽する位置に設けられた遮蔽部として機能する。なお、側壁面２ｃの床面２２からの高さは、壁面２ａの床面２２からの高さと同じとしてもよいが、側壁面２ｃを介したマスキング音の伝搬経路を遮断する必要がある場合には、壁面２ｂの高さと同じとすればよい。
【００３８】
また、パーティション１２Ｂ’の内部には、壁面２ａの上端の高さの位置に、放音手段であるスピーカ１０を設置する設置台２ｄが設けられており、設置台２ｄの上に２台のスピーカ１０が設けられている。壁面２ａは、パーティションブース３０に居る会話者の口と略同じ高さとなっており、設置台２ｄは、壁面２ａの上端部から壁面２ｂに向かって水平に設置されている。スピーカ１０は、マスキング音を放音するものである。スピーカ１０は、マスキング音の放音方向が真上又は斜め上の方向となるように設置され、スピーカ１０から放音されるマスキング音の直接音が天井２４に入射するようになっている。図１７では、スピーカ１０の指向性の軸が天井２４の方向を向くようにスピーカ１０が設置されている。なお、スピーカ１０が無指向性のものの場合には、マスキング音の放射方向が天井２４の方向(真上又は斜め上の方向)となるように、スピーカ１０の放音部に、反射板等の物理的に指向性を制御する部材を設けた放音手段を構成するようにしてもよい。
【００３９】
スピーカ１０からマスキング音を放音した場合のマスキング音と、パーティションブース３０内で発せられた音声とが、外部空間６に至る伝搬経路について、図１８を用いて説明する。例えば、パーティションブース３０におけるＸの高さの位置から会話者が音声を発した場合、音声の伝搬経路は図１８の破線矢印に示す伝搬経路となる。なお、上記の各実施形態では、上壁部１０２が、会話者から発せられ、会話者の前斜め上方からカウンターエリア３０Ａの外部に向かう音を遮っていたが、会話者から発せられた音の全てが上壁部１０２によって遮られるわけではないから、図１８では、上壁部１０２によっては遮ることが出来なかった一部の音の伝搬経路を示している。つまり、ブース内の音声のうち上壁部１０２によって遮られなかった音声は、大別すると、パーティション１２Ａ’で反射されて天井２４に向かい、天井２４で反射されて外部空間に向かう伝搬経路Ａ１と、天井２４に向かい、天井２４で反射されて外部空間に向かう伝搬経路Ａ２と、パーティション１２Ｂ’の壁面２ｂの方向に向かい、壁面２ｂの上端部分で回折して外部空間に向かう伝搬経路Ａ３とにより、外部空間６の受音点（受音者の位置）Ｙの位置に伝達される。
【００４０】
一方、スピーカ１０から放音されたマスキング音の伝搬経路は、図１８の実線矢印に示す伝搬経路となる。つまり、マスキング音は、大別すると、壁面２ｂの内側の面(パーティション１２Ｂ’の内部側の面)で反射されて天井２４の方向に向かい、天井２４で反射されて外部空間６に向かう伝搬経路Ｂ１と、天井２４に向かい、天井２４で反射されて外部空間６に向かう伝搬経路Ｂ２とにより、外部空間６の受音点Ｙの位置に伝達される。
【００４１】
このように、スピーカ１０が壁面２ｂの上端より低い位置に設置されているので、スピーカ１０から放音されたパーティションブース３０内へ向かうマスキング音の伝搬経路は、壁面２ｂの内側の面(遮蔽部)により遮蔽され、パーティションブース３０側へのマスキング音の伝搬が抑制される。そのため、パーティションブース３０内の会話者がマスキング音によって互いの音声を聞き取りにくくなるということがない。なお、マスキング音は、パーティションブース３０側の空間において少なくともパーティションブース３０側の上部空間７ａを除く空間に伝搬しないように、遮蔽されていればよい。
また、天井２４で反射した会話音声が外部空間６に伝搬する方向(Ａ１、Ａ２)と、天井２４でマスキング音が反射して外部空間６に伝搬する方向(Ｂ１、Ｂ２)とがほぼ同じ方向であり、会話音声とマスキング音の減衰性状(周波数特性)が略同じになるので、会話音声とマスキング音の親和性が高くなる。そのため、外部空間６の受音点Ｙの位置ではパーティションブース３０からの会話音声とマスキング音とが融合して知覚されて、受音点Ｙ付近にいる人にとってはパーティションブース３０内の会話音声が聞き取りにくくなる。
【００４２】
また、会話者とスピーカ１０が壁面２ｂを挟んで対称な位置関係となるときには、スピーカ１０がパーティションブース３０内の会話者の口と略同じ高さとなるようにパーティション１２Ｂ’の内部に設けられていることで、スピーカ１０が床面２２に近い低い位置に設けられる場合と比べて、会話音声とマスキング音の伝搬経路がほぼ同じ方向となり、外部空間６に放音されるマスキング音のマスキング効率が更に向上する。
つまり、パーティション１２Ｂ’内の床面２２に近い高さにスピーカ１０が設置される場合には、壁面２ａ、壁面２ｂ、壁面２ｃに囲まれた空間によってマスキング音の上方への指向性が強くなる。そのため、パーティションブース３０だけなく外部空間６へのマスキング音の伝搬が抑制され、外部空間６において壁面２ａから離れるほどマスキング音が届きにくくなる。従って、会話者が発した外部空間６へ向かう会話音声とマスキング音の伝搬方向が同じ方向とならないので、会話音声が効率良くマスキングされない。一方、パーティションブース３０内の会話者の口と略同じ高さにスピーカ１０が設けられている場合は、音の伝搬方向や、距離減衰及び響きの程度などの、音の伝送特性に関して、スピーカ１０からのマスキング音と会話者が発した会話音声の類似性(親和性)が高くなるため、会話音声が効率良くマスキングされる。
以上のような音声をマスキングする構成はパーティション１２Ａ’，１２Ｃ’にも設けられる。
【００４３】
（変形例１−２）
図１９(ａ)は、本変形例に係るパーティション１２０の斜視図を示しており、図１９(ｂ)は、図１９(ａ)のパーティション１２０を矢印Ｘ方向から見たときの断面図を示している。本変形例に係るパーティション１２０は、外部空間６側に位置する壁面２ａに対し、パーティションブース３０側に位置する壁面２ｂの床面からの高さが高くなっている点で変形例１−１と共通し、壁面２ａの上端部より床面２２に近い所定の位置に設けられた設置台２ｄにスピーカ１０が設けられている点で変形例１−１と異なっている。つまり、本変形例では、変形例１−１の場合よりも壁面２ａの上端より下方の位置にスピーカ１０が設置されている。以下、本変形例のパーティション１２０の構成において、スピーカ１０からのマスキング音とパーティションブース３０内の会話音声とが外部空間６に至る伝搬経路について、図２０を用いて説明する。
【００４４】
変形例１−１と同様にパーティションブース３０のＸの位置で会話者が音声を発した場合、図２０の破線矢印に示す伝搬経路で外部空間６の側へ音声が伝搬される。つまり、パーティションブース３０内の会話音声は、大別すると、パーティション１２０’で反射されて天井２４に向かい、天井２４で反射されて外部空間に向かう伝搬経路Ａ１と、天井２４に向かい、天井２４で反射されて外部空間に向かう伝搬経路Ａ２と、パーティション１２０の壁面２ｂの方向に向かい、壁面２ｂの上端部分で回折して外部空間に向かう伝搬経路Ａ３とにより、外部空間６の受音点Ｙの位置に伝達される。
一方、スピーカ１０から放音されたマスキング音は、図２０の実線矢印で示す伝搬経路で伝搬される。つまり、マスキング音は、大別すると、壁面２ｂの内側の面で反射されて天井２４の方向に向かい、天井２４で反射されて外部空間６に向かう伝搬経路Ｂ１と、天井２４の方向に向かい、天井２４で反射されて外部空間６に向かう伝搬経路Ｂ２と、壁面２ａの上端部分で回折して外部空間６へ向かう伝搬経路Ｂ３とによって、外部空間６の受音点Ｙの位置に伝達される。
【００４５】
伝搬経路Ｂ１で示すように、スピーカ１０から放音されたマスキング音のうちパーティションブース３０内へ向かうマスキング音の伝搬経路は壁面２ｂの内側の面によって遮蔽されるため、パーティションブース３０内の会話者はマスキング音によって互いの音声が聞き取りにくくならない。また、本変形例では、伝搬経路Ａ１及びＡ２で外部空間６に伝搬される会話音声と、伝搬経路Ｂ１及びＢ２で外部空間６に伝搬されるマスキング音とは、伝搬方向及び周波数特性が略同じであり、伝搬経路Ａ３で外部空間６に伝搬される会話音声と、伝搬経路Ｂ３で外部空間６に伝搬されるマスキング音とは、伝搬方向及び周波数特性が略同じになる。よって、外部空間６に漏出された会話音声がマスキング音によって効率良くマスキングされ、外部空間６にいる人に会話音声を聞き取られないようにすることができる。また、スピーカ１０が壁面２ａの上端部より下方の位置に設けられることで、壁面２ａ及び壁面２ｂで挟まれた空間に一旦マスキング音が放音され、パーティション１２０の上方の開口部分よりマスキング音が外部空間６に放音されるので、スピーカ１０の数が少ない場合でも、マスキング音がスピーカ１０の位置に定位する感覚が小さくなり、パーティション１２０の上方の開口部全体からマスキング音が聞こえるような効果を得ることができる。また、スピーカ１０の数を減らすことができるので装置構成を簡略化することができると共に、コストを削減することができる。
【００４６】
なお、本変形例では、スピーカ１０の放音方向が天井２４の方向となるようにスピーカ１０をパーティション１２０内に配置したが、スピーカ１０が壁面２ａの上端より下方の位置に設けられる場合には、スピーカ１０の放音方向が壁面２ａ、壁面２ｂ、又は壁面２ｃの方向となるようにスピーカ１０が設置されていてもよい。このように配置しても、スピーカ１０からのマスキング音は、壁面２ａ、壁面２ｂ、及び壁面２ｃによって反射されて、その反射音が天井２４の方向に向かう。従って、パーティションブース３０内の会話音声が外部空間６に伝搬する方向と同じ方向となるようにマスキング音が放音されるので、外部空間６にいる人にとって会話音声が聞き取りにくくなる。また、このようにスピーカ１０を配置することで、壁面２ａ、壁面２ｂ及び壁面２ｃで囲まれた空間に放音されたマスキング音が、パーティション１２０の上方の開口部全体から外部空間６に放音されるので、スピーカ１０の位置におけるマスキング音の定位感をより小さくすることができる。
【００４７】
（変形例１−３）
次に、本発明の変形例１−３に係るパーティションについて説明する。図２１は、本変形例に係るパーティション２１の断面図を示している。本変形例におけるパーティション２１は、外部空間６側に位置する壁面２１ａとパーティションブース３０側に位置する壁面２１ｂの床面２２からの高さが同じである点と、パーティション２１の内部に、壁面２１ａ及び壁面２１ｂの上端より高くなるように遮蔽部材２１ｃが設けられている点において、変形例１−２のパーティション１２０と異なっている。この遮蔽部材２１ｃは、スピーカ１０を設置する設置部２１１と脚部２１２と遮蔽部２１３とを有し、壁面２１ａと壁面２１ｂとの間に挟持されている。
設置部２１１は、壁面２ａの上端より下方にスピーカ１０が設置されるように、所定の高さの位置に設けられ、スピーカ１０の放音方向が天井２４の方向となるようにスピーカ１０が設置部２１１に設置されている。この点では変形例１−２と共通である。
【００４８】
本変形例において、スピーカ１０からマスキング音が放音された場合、パーティションブース３０内部へ向かうマスキング音は、遮蔽部２１３で遮蔽され、遮蔽部２１３で反射されて天井２４の方向へ向かい、天井２４で反射されて外部空間６の方向へ伝搬される。また、天井２４の方向に向かうマスキング音は、天井２４で反射されて外部空間６へ伝搬され、外部空間６の方向に向かうマスキング音は、パーティション２１に対向するパーティション２１’の壁面２ａの上端部分で回折して外部空間６へ伝搬される。また、パーティションブース３０内で発せられた会話音声のうちパーティション２１’に向かう音声は、パーティション２１’で反射されて天井２４に向かい、天井２４で反射されて外部空間６に伝搬される。また、天井２４に向かう音声は、天井２４で反射されて外部空間に向かい、壁面２ｂの方向に向かう音声は、遮蔽部２１３の上端部分で回折されて外部空間６に伝搬される。このように、本変形例に係るパーティション２１を用いた場合も、パーティションブース３０内で発せられた音声の伝搬方向と、スピーカ１０から放音されたマスキング音の伝搬方向が略同じ方向となり、外部空間６にいる人にパーティションブース３０から漏出した音声を聞き取られないように効率良くマスキングすることができる。
【００４９】
（変形例１−４）
次に、本発明の変形例１−４に係るパーティションについて説明する。図２２(ａ)及び(ｂ)は、本変形例に係るパーティション２２Ｘの断面図を示している。本変形例におけるパーティション２２Ｘは、外部空間６側に位置する壁面２２ａとパーティションブース３０側に位置する壁面２２ｂが同じ高さで構成されている点で、変形例１−３に係るパーティションと共通する。そして、パーティション２２Ｘを構成する壁面２２ａ及び壁面２２ｂの内側の面には、壁面２２ａ及び壁面２２ｂの上端から一定の範囲にフック又はループ状の面ファスナー等の接着部材が貼り付けられており、脚部を備えず、壁面２２ａ及び壁面２２ｂに設けられた面ファスナーに対して着脱自在の遮蔽部材２２ｃが設けられている点で、変形例１−３と異なっている。
【００５０】
遮蔽部材２２ｃは、図２２(ａ)に示すように、スピーカ１０を設置する設置部２２１とスピーカ１０から放音されるマスキング音を遮蔽するための遮蔽部２２２とを有するＬ字形状の部材で構成されている。壁面２２ａ又は壁面２２ｂに接する遮蔽部材２２ｃの面には、壁面２２ａ及び壁面２２ｂの内側の各面に貼り付けられた面ファスナーと貼り合せるためのフック又はループ状の面ファスナーが貼り付けられている（図示省略）。
なお、本変形例では、面ファスナーを用いて遮蔽板２２ｃをパーティション２２Ｘの内壁に貼り合せる例について説明するが、遮蔽部材２２ｃがパーティション２２Ｘの内壁に着脱自在である構成であれば、両面テープや磁石等の接着部材を用いてパーティション２２Ｘの内壁に遮蔽部材２２ｃを取り付けるようにしてもよい。
【００５１】
本変形例におけるパーティション２２Ｘは着脱自在な遮蔽板２２ｃを備えているので、パーティションブース３０の側にマスキング音が伝搬しないように遮蔽する場合には、図２２(ａ)のように、遮蔽板２２ｃを壁面２２ｂの内側の面に貼り付けるようにすればよい。また、例えば、壁面２２ａが位置する側にもブースが形成されている場合に、各ブースの利用状況に応じて遮蔽板２２ｃを図２２(ｂ)に示すように壁面２２ｂの内側の面に貼り付けてもよい。このように、遮蔽板２２ｃを壁面２２ａ又は壁面２２ｂの内側に自在に貼り付けることができるので、パーティション２２Ｘによって仕切られた空間の利用状況に応じてマスキング音を遮蔽する方向を容易に切替えることができる。
【００５２】
（変形例１−５）
上述の各変形例では、パーティション内に放音手段としてスピーカ１０を設置する例について説明したが、一部が開口された箱の内部にスピーカ１０を設置した放音手段を、パーティションの内部に設けるように構成してもよい。図２３(ａ)は、本変形例に係るパーティション２３の断面図である。
図２３(ａ)に示すように、本変形例に係るパーティション２３は、箱２３ｃがパーティション２３内に設けられている点以外は、変形例１−２と共通している。本変形例では、箱２３ｃの上面の少なくとも一部が開口されると共に、壁面２３ａ及び壁面２３ｂの各内側の面と対向箱２３ｃ側面の一部が開口している。箱２３ｃの内部には、スピーカ１０の放音方向が、箱２３ｃの開口部が設けられている面と異なる面方向、即ち、パーティション２３の壁面２３ａ及び２３ｂを除く側壁面の方向となるようにスピーカ１０が設置されている。つまり、箱２３ｃからマスキング音が出射する方向とスピーカ１０の放音方向(指向軸)とが一致しないように構成され、少なくともスピーカ１０の放音方向又は箱２３ｃの開口部のいずれかが上方を向いていなければよい。
【００５３】
箱２３ｃ内で放音されて上面の開口部から出射したマスキング音は、天井２４の方向へ向かう。また、箱２３ｃ内で放音されて側面の開口部から放射されたマスキング音は壁面２３ａ及び壁面２３ｂと箱２３ｃの側面との間で反射されながら天井２４の方向に向かう。天井２４で反射されたマスキング音は、上述の各変形例と同様、パーティションブース３０内から会話音声が外部空間６に伝搬する方向と略同じ方向で外部空間６に伝搬される。本変形例では、箱２３ｃの開口部とスピーカ１０の放音方向(指向軸)とが一致しないように構成されているため、パーティション２３の内部におけるスピーカ１０から放音されるマスキング音の直接音がパーティション２３の外部に対して直接的に放音されない。そのため、スピーカ１０の位置におけるマスキング音の定位感が小さくなり、壁面２３ａ近くにいる人にマスキング音の違和感を与えることなく、パーティションブース３０から伝搬された会話音声を効率的にマスキングすることができる。
【００５４】
（変形例１−６）
変形例１−５では、スピーカ１０が設けられた箱２３ｃをパーティション内部に設ける例について説明したが、図２３(ｂ)に示すように、パーティション２３の一方の壁面２３ａに外付けして設置してもよい。この場合には、壁面２３ａの上端部より低い位置に、箱２３ｃの開口部が天井２４の方向となるように箱２３を設置し、当該開口部が設けられた面を除く箱２３ｃの他の面には開口部を設けないように構成する。壁面２３ａの上端部より低い位置にスピーカ１０が設置された箱２３ｃを設けることにより、箱２３ｃの位置から壁面２３ａの上端までの部分が遮蔽部として機能する。
箱２３ｃ内部に設けられたスピーカ１０からのマスキング音が放音された場合、箱２３ｃの上面に設けられた開口部から共鳴されたマスキング音が放音され、壁面２３ｂの方向、即ち、パーティションブース３０の内側に向かうマスキング音は壁面２３ａによって遮蔽される。この場合には、外部空間６に対してはマスキング音が伝搬されるように、壁面２３ａの上端部より床面に近い位置に、箱２３ｃを設置するためのフック又はループ状の面ファスナー等の接着部材を設けて箱２３ｃを設置する。また、この場合には、壁面２３ａと壁面２３ｂの上端部の高さは同じでもよく、パーティション２３の上面部分が開口されている必要はない。また、スピーカ１０を箱２３ｃに入れずに、スピーカ１０の放音方向が天井２４の方向となるように、スピーカ１０そのものをパーティション２３の壁面２３ａに外付けするように構成してもよい。
【００５５】
（変形例１−７）
また、上述の各変形例では、パーティションに２つのスピーカ１０を設け、パーティションの一方の壁面側のみへのマスキング音の放音方向を遮蔽する例について説明したが、図２４に示すパーティション２４のように構成してもよい。図２４に示すパーティション２４は、床面からの高さが同じ壁面２４ａ、壁面２４ｂ及び側壁面２４ｃを有し、壁面２４ａ、壁面２４ｂ及び側壁面２４ｃの上部には、スピーカ１０Ｌ、１０Ｒを設置する設置台２４１が設けられている。
また、設置台２４１の長手方向の両側の上端部と中間位置には、側壁面２４ｃと同じ幅を有する３枚の仕切板２４１ｃが側壁面２４ｃと平行に設置されている。そして、各仕切板２４１ｃの間には、壁面２４ｂと壁面２４ａの各々に沿うように遮蔽部２４ｄ１及び遮蔽部２４ｄ２が設けられている。また、図２４に示すように、遮蔽部２４ｄ１と壁面２４ｂの上端部分は開口し、遮蔽部２４ｄ２と壁面２４ａの上端部分が開口している。
遮蔽部２４ｄ１は、遮蔽部２４ｄ１側に設けられたスピーカ１０Ｒからの壁面２４ａ側へ向かうマスキング音の伝搬経路を遮蔽し、遮蔽部２４ｄ２は、遮蔽部２４ｄ２側に設けられたスピーカ１０Ｌからの壁面２４ｂ側へのマスキング音の伝搬経路を遮蔽する。
このような構成により、壁面２４ａと２４ｂのいずれの方向にもマスキング音を放音することができるため、パーティション２４の設置後にレイアウトの変更があったとしてもパーティション２４の向きを変えることなく所望する、いずれかの方向にマスキング音を放音させることができる。また、パーティション２４を用いて複数のパーティションブース３０が形成される場合には、隣接する各ブースに対してマスキング音を放音させてもよいし、隣接するブースの利用状況に応じて一方のブースの方向にマスキング音を放音するように、いずれか一方の遮蔽部の側に設けられたスピーカからマスキング音を放音するようにしてもよい。
なお、スピーカ１０Ｌとスピーカ１０Ｒに放音させるマスキング音を変えて、一枚のパーティション２４から複数のマスキング音を放音させてもよい。
【００５６】
（変形例１−８）
上述した変形例１−２では、パーティション１２Ｂ’の上面部分が開口されている例について説明したが、図２５に示すように、パーティション２５の壁面２５ａに複数のスリット部または開口部Ｓを設けるように構成してもよい。このような構成によって、パーティション２５の上面の開口部分から伝搬されるマスキング音とスリット部または開口部Ｓから伝搬されるマスキング音とが混在することで、スリット部又は開口部Ｓから発せられるマスキング音の定位感を和らげることができ、外部空間に対してマスキング音を違和感なく放音させることができる。
【００５７】
（変形例１−９）
上述した各変形例では、スピーカ１０の放音方向が天井２４の方向となるようにパーティションに設置する例について説明したが、パーティション内部にスピーカ１０を設置する場合、スピーカ１０のマスキング音がパーティション内部からパーティション外部へ出力される方向が天井２４に向かう方向であれば、スピーカ１０の放音方向が天井面の方向と異なる方向にスピーカ１０の向きを設定してもよい。例えば、図２６に示すように、上面部分が開口されたパーティション２６内の底面に、スピーカ１０の放音方向が壁面２６ａ又は２６ｂの方向(矢印Ｔ)となるように設置してもよい。このようにスピーカ１０を設置した場合には、スピーカ１０から放音されたマスキング音は、壁面２６ａ及び２６ｂの内側の面で反射を繰り返してパーティション２６の上面部分から天井面方向へと進行する。このように、一方の壁面の側に向かうマスキング音の伝搬経路を遮蔽し、他方の壁面の側に向かうマスキング音の伝搬経路を遮蔽しないようにマスキング音を放音することができる。
【００５８】
（変形例１−１０）
上述した変形例１−３では、着脱自在なＬ字形状の遮蔽部材２２ｃをパーティション２１に設ける例について説明したが、スピーカ１０からのマスキング音を遮蔽する遮蔽方向を規制することができる構成であればこれに限らない。
このようなパーティションの例について図２７を用いて説明する。図２７は、本変形例に係るパーティションの断面図を示している。図２７(ａ)に示すように、パーティション２７内部の所定位置にスピーカ１０を設け、パーティション２７の上面部分を覆う遮蔽部材２７ｃを設ける。この遮蔽部材２７ｃは、壁面２７ａ及び壁面２７ｂの各上端部分において着脱できるように構成されている。例えば、遮蔽部材２７ｃを壁面２７ａの上端部分に装着した状態で、遮蔽部材２７ｃを天井面方向に持ち上げると、図２７(ｂ)に示すように、パーティション２７の上面部分(破線部)が開口する。このとき、遮蔽部材２７ｃは壁面２７ａの上端部に配置されて壁面２７ａの側が壁面２７ｂより高くなり、壁面２７ａの側へ向かうマスキング音の伝搬経路を遮蔽部材２７ｃにより遮蔽することができる。また、遮蔽部材２７ｃを壁面２７ｂの上端部分に装着した状態で、遮蔽部材２７ｃを天井面方向に持ち上げると、図２７(ｃ)に示すように、パーティション２７の上面部分(破線部)が開口する。このとき、遮蔽部材２７ｃは壁面２７ｂの上端部に配置されて壁面２７ｂの側が壁面２７ａより高くなり、壁面２７ｂの側へ向かうマスキング音の伝搬経路を遮蔽部材２７ｃにより遮蔽することができる。
【００５９】
（変形例１−１１）
なお、上述した各変形例において、パーティションに設けられたスピーカ１０にマスキング音を放音させる場合、例えば、パーティションの内部又は外部に、スピーカ１０にマスキング音を放音させる放音制御装置を設置し、各スピーカ１０と放音制御装置とを有線又は無線により接続してもよい。この場合における放音制御装置とスピーカ１０の構成例を図２８に示す。図２８に示すように、放音制御装置３０は、音源３０１、操作部３０２、信号処理部３０３、及び制御部３０４を含んで構成されている。
【００６０】
音源３０１は、制御部３０４の制御の下、予め定められたマスキング音を生成または読み出して音信号を出力する機能を有し、操作部３０２は、放音制御装置３０の電源のオンオフを切替える操作ボタン、スピーカ１０に放音させるマスキング音のボリューム値の変更操作等を行う操作ボタン等を有し、ユーザから受付けたスイッチ操作を示す操作信号を制御部３０４へ出力する機能を有する。
【００６１】
信号処理部３０３は、制御部３０４の制御の下、音源３０１によって出力されたマスキング音を示す信号に所定の信号処理を施し、そのマスキング音の信号とマスキング音のボリューム値を示す情報とを各スピーカ１０に送出する機能を有する。
また、制御部３０４は、ＣＰＵ(Central  Processing  Unit)、ＲＯＭ(Read  Only  Memory)及びＲＡＭ(Random  Access  Memory)を含んで構成されており、制御部３０４と接続されている各部を制御する機能を有する。
スピーカ１０は、アンプを含んで構成されており、放音制御装置３０から送出されたマスキング音の音信号に所定の増幅処理を施して放音する。
【００６２】
放音制御装置３０の制御部３０４は、ユーザが操作部３０２の電源ボタンをオンにする操作を行うと、音源３０１においてマスキング音を生成または読み出して信号処理部３０３へ出力し、信号処理部３０３において信号処理が施されたマスキング音の音信号を各スピーカ１０へ出力する。各スピーカ１０は、放音制御装置３０から出力されたマスキング音の音信号に所定の増幅処理を施してマスキング音を放音する。
また、放音制御装置３０の制御部３０４は、ユーザによって操作部３０２の電源ボタンをオフにする操作が行われると、音源３０１におけるマスキング音の生成を停止し、信号処理部３０３から各スピーカ１０への音信号の出力を停止する。
【００６３】
（変形例１−１２）
上述した各変形例では、パーティションに設けられるスピーカ１０の放音方向が天井方向となるように配置する例を説明したが、スピーカ１０は、例えば、図２９に示すように、パーティション１２１において、スピーカ１０から発するマスキング音の放音方向が天井２４側となるようにスピーカ１０を壁面２ａまたは壁面２ｂの面方向（鉛直方向）に対して傾けて配置し、且つ放音方向（スピーカ１０の指向軸）が天井２４側となる（天井２４に交差する）ように配置すればよい。図２９のように、パーティションブース３０内から発せられる音声が外部空間６に向かう伝搬経路Ａの方向と、マスキング音の伝搬経路Ｂ方向とがほぼ重なりつつ、スピーカ１０を鉛直方向から所定角度傾けて伝搬経路Ｂの方向とスピーカ１０の指向軸の方向とを一致させるように配置することで、受音点Ｙに至る天井面の反射点に向かうマスキング音のレベルが増大し、外部空間６においてパーティションブース３０内の会話音声をより聞き取りにくくすることができる。また、複数のスピーカによって、スピーカ１０をスピーカアレイとして構成してもよい。この場合においては、スピーカアレイの音響ビームの方向（放音方向）が天井側を向いていればよい。さらに、スピーカ１０を単一のスピーカあるいはスピーカアレイを用いて構成する場合において、複数の放音方向が設定される場合はいずれかの放音方向が天井側を向いていればよい。
【００６４】
（変形例２）
遮音機構には、透明なアクリル板など、遮音性、反射性および光の透過性を兼ね備える部材が用いられてもよい。たとえば、上壁部１０２に、透明なアクリル板が用いられてもよい。また、遮音機構が側壁部１０４を有する場合、側壁部１０４に、透明なアクリル板が用いられてもよい。
また、遮音機構には、透明な微細穿孔板および透明で孔のない板などで構成された、遮音性、吸音性および光の透過性を兼ね備える部材が用いられてもよい。たとえば、上壁部１０２として、パーティションブース３０側の面に透明なアクリル製微細穿孔板が用いられ、その背後に透明な無孔のアクリル板で構成される部材が用いられてもよい。また、遮音機構が側壁部１０４を有する場合、側壁部１０４に、透明なアクリル板が用いられてもよい。
【００６５】
（変形例３）
上壁部１０２は、上面に入射された音を吸収する構成を有してもよい。たとえば、上壁部１０２は、上面に吸音ボードなどの吸音部材が用いられたものであってもよい。他の例として、上壁部１０２は、内部に不織布、グラスウールなどの吸音部材が充填されたものであってもよい。これらの場合、上壁部１０２は、会話者から発せられ、天井２４、外壁で反射された音を吸収することができる。これにより、上壁部１０２は、カウンターエリア３０Ａでの会話が、カウンターエリア３０Ａの上方で多重反射して、カウンターエリア３０Ａの外部へ漏出することを抑制することができる。遮音機構が側壁部１０４を有する場合、側壁部１０４は、外面に入射された音を吸収する構成を有してもよい。たとえば、側壁部１０４は、外面に吸音ボードなどの吸音部材が用いられたものであってもよい。他の例として、側壁部１０４は、内部に不織布、グラスウールなどの吸音部材が充填されたものであってもよい。これらの場合も、上壁部１０２の上面に吸音部材が用いられている場合と、同様の効果を奏することができる。
【００６６】
遮音機構は、パーティションに挟まれた空間への設置に限らない。たとえば、遮音機構は、パーティションに挟まれた空間以外の空間に設けられている会話領域の、少なくとも上方を覆うように設けられてもよい。遮音機構には、なおもカウンターエリア３０Ａの外部へ漏出してしまったカウンターエリア３０Ａでの会話を聞き取りにくくするためのマスキング音を発するマスキング装置が設けられてもよい。たとえば、上壁部１０２の上面に、マスキング装置が設けられてもよい。遮音機構が側壁部１０４を有する場合、側壁部１０４に、マスキング装置が設けられてもよい。
【符号の説明】
【００６７】
１２…パーティション、２２…床面、３０…パーティションブース、３２…カウンターテーブル、３４…椅子、１０２…上壁部、１０４…脚部、８０２…固定部材、８０４…可動部材、１１０２…固定部材、１１０４…可動部材、１２００…グラフ、１３００…グラフ、１４００…グラフ、１５００…グラフ
【図１】
2012180639.tif 000003
【図２】
2012180639.tif 000004
【図３】
2012180639.tif 000005
【図４】
2012180639.tif 000006
【図５】
2012180639.tif 000007
【図６】
2012180639.tif 000008
【図７】
2012180639.tif 000009
【図８】
2012180639.tif 000010
【図９】
2012180639.tif 000011
【図１０】
2012180639.tif 000012
【図１１】
2012180639.tif 000013
【図１２】
2012180639.tif 000014
【図１３】
2012180639.tif 000015
【図１４】
2012180639.tif 000016
【図１５】
2012180639.tif 000017
【図１６】
2012180639.tif 000018
【図１７】
2012180639.tif 000019
【図１８】
2012180639.tif 000020
【図１９】
2012180639.tif 000021
【図２０】
2012180639.tif 000022
【図２１】
2012180639.tif 000023
【図２２】
2012180639.tif 000024
【図２３】
2012180639.tif 000025
【図２４】
2012180639.tif 000026
【図２５】
2012180639.tif 000027
【図２６】
2012180639.tif 000028
【図２７】
2012180639.tif 000029
【図２８】
2012180639.tif 000030
【図２９】
2012180639.tif 000031